(57)【特許請求の範囲】
【請求項１】
柱梁架構面内において、少なくとも一方の柱との間に所要のスペースを有するようにして、梁間に並列状態に嵌合した複数の短冊状プレキャストコンクリートからなるパネルと、前記各パネルの上下部における横方向を貫通して挿通され、両端を梁または柱に固定された定着板に緊張定着したＰＣ鋼棒とを備え、
前記パネルの設置されるべき部位の上下またはそのいずれか一方に、梁に沿って土台またはまぐさが梁に固定されて設けてあり、前記定着板が前記土台またはまぐさに固定されることによって、前記定着板が前記土台またはまぐさを介して梁に固定され、
前記土台またはまぐさは鉄筋コンクリート製であり、差筋または後施工アンカーを介してコンクリートの現場打設により設けられている
ことを特徴とする耐震壁の組立構造。
【請求項２】
前記定着板の土台またはまぐさへの定着部材が前記土台またはまぐさを貫通して定着されたＰＣ鋼棒であることを特徴とする請求項１に記載の耐震壁の組立構造。
【請求項３】
前記定着板が前記パネルの端部を包囲するＣ型チャンネル鋼材であることを特徴とする請求項１または２のいずれかの項に記載の耐震壁の組立構造。
【請求項４】
前記パネルの上下端部の厚みまたは幅が中間部より大きく設定されていることを特徴とする請求項１〜３のいずれかの項に記載の耐震壁の組立構造。
【請求項５】
柱梁架構面内に配置されて、梁間に並列状態に嵌合した複数の短冊状プレキャストコンクリートからなる各パネルの上下部に、これらを貫通して挿通されるＰＣ鋼棒の緊張時に、予めＰＣ鋼棒と向い合う柱のＰＣ鋼棒の延長位置に同軸孔を貫通形成し、この孔に緊張用鋼棒を挿通してその一端を前記ＰＣ鋼棒の端部にカプラーを介して接続するとともに、前記柱の他側面に反力を取って前記緊張用鋼棒を緊張することを特徴とするＰＣ鋼棒の定着方法。
【発明の詳細な説明】
【０００１】
【発明の属する技術分野】
本発明は、例えば耐震壁の組立構造及び耐震壁に対するＰＣ鋼棒の定着方法に関する。
【０００２】
【従来の技術】
例えば、特開平５−３４０００８号公報には、軽量気泡コンクリートパネルを耐震壁として利用する構造が開示されている。この壁構造では、柱梁架構面内に、中間部の幅をやや小さくした短冊型の軽量気泡コンクリートパネルを複数枚並列して嵌合し、その上下部の横方向を貫通して鋼棒を挿通し、端部を緊張・定着することで、耐震壁としての機能を与えている。
【０００３】
この構造では、地震が生ずるとパネル部分に応力が集中し、この部分が破壊することで、他の主要構造を破壊から保護する。
【０００４】
【発明が解決しようとする課題】
しかしながら、上述した従来のパネルは、柱梁架構面内の全面に配置されるものであるため、鋼棒を挿通したり、端部を緊張・定着するためのスペースを十分にとれず、各部材を現場に搬入して組立てるための施工スペースをとることが出来なかった。
【０００５】
また、このために、従来では予め工場などで据付け場所の柱間幅に応じた幅となるように複数のパネルを並列して鋼棒を挿通し、その端部を緊張定着して大型のパネルに形成し、この大型パネルを現場に搬入し、梁柱架構面内に取付けるようにせざるを得ないが、大型であるため、搬送、現場据付けの面倒が生じ、施工が面倒となるほか、大地震によりパネルに損傷を受けた場合の交換作業も面倒となっていた。
【０００６】
本発明は、以上の課題を解決するものであって、その目的は、耐震壁を構成する各部材を分割して現場に搬入することにより、組み立て出来るようにした耐震壁の組立構造、並びに、この耐震壁に対するＰＣ鋼棒の定着方法を提供するものである。
【０００７】
【課題を解決するための手段】
以上の目的を達成するため、本発明の組立構造は、柱梁架構面内において、少なくとも一方の柱との間に所要のスペースを有するようにして、梁間に並列状態に嵌合した複数の短冊状プレキャストコンクリートからなるパネルと、前記各パネルの上下部における横方向を貫通して挿通され、両端を梁または柱に固定された定着板に緊張定着したＰＣ鋼棒とを備え、前記パネルの設置されるべき部位の上下またはそのいずれか一方に、梁に沿って土台またはまぐさが梁に固定されて設けてあり、前記定着板が前記土台またはまぐさに固定されることによって、前記定着板が前記土台またはまぐさを介して梁に固定され、前記土台またはまぐさは鉄筋コンクリート製であり、差筋または後施工アンカーを介してコンクリートの現場打設により設けられていることを特徴とするものである。従って、本発明の耐震壁にあっては、各パネル単体を現場に搬入して組立て、ＰＣ鋼棒により柱−梁間に定着できるので、組立が簡単であり、しかも大地震により破損した場合であっても交換が容易となる。
【０００８】
本発明の組立構造において、前記パネルの設置されるべき部位の上下またはそのいずれか一方に、梁に沿って土台またはまぐさが梁に固定されて設けてあり、前記定着板が前記土台またはまぐさに固定されることによって、前記定着板が前記土台またはまぐさを介して梁に固定されていることにより、地震により本耐震壁が破壊する際に、土台またはまぐさがクッションになって、梁や柱を傷めることがない。
【０００９】
この場合、前記土台またはまぐさが鉄筋コンクリート製であることにより、鋼材製に比べて安価になるし、前記定着板の土台またはまぐさへの定着部材が前記土台またはまぐさを貫通して定着されたＰＣ鋼棒であることにより、靱性のある定着部になる。
【００１０】
また、前記定着板が前記パネルの端部を包囲するＣ型チャンネル鋼材であることにより、耐震壁に対する拘束力が大となる。
【００１１】
さらに、前記パネルの上下端部の厚みまたは幅が中間部より大きく設定されていることにより、パネルの面内方向曲げ剛性が上下端のそれより小さくなり、耐震壁としての機能を発揮できる。
【００１２】
また本発明のＰＣ鋼棒の定着方法では、柱梁架構面内に配置されて、梁間に並列状態に嵌合した複数の短冊状プレキャストコンクリートからなる各パネルの上下部に、これらを貫通して挿通されるＰＣ鋼棒の緊張時に、予めＰＣ鋼棒と向い合う柱のＰＣ鋼棒の延長位置に同軸孔を貫通形成し、この孔に緊張用鋼棒を挿通してその一端を前記ＰＣ鋼棒の端部にカプラーを介して接続するとともに、前記柱の他側面に反力を取って前記緊張用鋼棒を緊張することにより、柱と耐震壁間のスペースが小であっても十分な拘束力で定着することが出来る。
【００１３】
【発明の実施の形態】
以下、本発明の好ましい実施の形態につき、添付図面を参照して詳細に説明する。
【００１４】
図１は本発明に係る耐震壁の組立構造を示すもので、一対の柱１及び上下の梁２で囲われる架構面内において、上下の梁２の中央部下面及び上面には差筋または後施工アンカー３を介してコンクリートの現場打設により設置用土台４が設けられている。この土台４はその両端部と左右の柱１の間に所定の寸法でスペースＳを開けて設けられ、かつ水平方向（長手方向）には鋼棒挿通用の孔４ａが形成されている。
【００１５】
土台４間にはプレキャストコンクリート部材からなる短冊状のパネル５が複数並列に嵌合されている。各パネル５は、図２に示すように、上下端部５ａの幅及び厚みが中央部５ｂのそれより大きく形成されたものであって、これにより、中央部５ｂの面内方向における曲げ剛性が両端部のそれより小さくなり、耐震壁としての機能を発揮できる形状としている。
【００１６】
また、上下端部５ａの中央には鋼棒挿通用の孔５ｃが水平に貫通形成されており、各パネル５を土台４間に並列嵌合した状態で土台４の両端及び左右パネル５の端面に定着板６を配置した後、柱１とのスペースＳを利用して、それぞれの孔４ａ，５ｃにＰＣ鋼棒７を挿通し、次いで各ＰＣ鋼棒７の端部を緊張して定着板６に定着することにより、耐震壁が完成する。
【００１７】
なお、組立手順として、最初に一端側のパネル５の端部に定着板６をあてがってＰＣ鋼棒７を挿通しておき、次いで順次新たなパネル５を嵌合しつつＰＣ鋼棒７を挿通することでもＰＣ鋼棒７の取付が出来、スペースＳが狭い場合に好適である。
【００１８】
また、定着板６の形状としては、図３（ａ）に示すように、平板状の鋼板プレートでもよいが、（ｂ）に示すように、Ｃ型チャンネル鋼材を用い、土台４及びパネルの前後を包囲した状態とすることで、さらに各部材に対する拘束力が増すことになる。
【００１９】
上記説明において、上部土台（まぐさ）は、パネル５を設置した後に設けるようにしてもよい。
【００２１】
次に、前記ＰＣ鋼棒の好ましい定着方法を図４を用いて説明する。まず（ａ）に示すように、組み上がった耐震壁に隣接する一方の柱１に予め前記各孔４ａ，５ｃと同一軸線上の水平孔１ａを貫通形成する。次いで、この孔１ａに（ｂ）に示すように、緊張用鋼棒８を挿通し、その端部をカプラー９を介してＰＣ鋼棒７に接続し、緊張用鋼棒８の柱１の反対側突出端に油圧ジャッキ１０を取付け、柱１に反力を取りながら油圧ジャッキ１０を駆動することで、緊張用鋼棒８をＰＣ鋼棒７とともに緊張させることで、耐震壁と柱１間のスペースを十分取れなくとも、強固な緊張力により耐震壁を構成する各部材を定着することが出来る。
【００２２】
【発明の効果】
以上の説明により明らかなように、本発明による耐震壁の組立構造にあっては、耐震壁を構成する各部材を分割して現場に搬入し、組み立て出来るため、作業が容易で、また耐震壁が破壊された後の交換作業も容易となる。また、ＰＣ鋼棒の定着方法では、柱の反対側から緊張できるため、耐震壁と柱間のスペースが十分取れなくとも十分な定着力を得ることが出来る。
【図面の簡単な説明】
【図１】  本発明に係る耐震壁の組立構造を示す説明図である。
【図２】  同耐震壁に用いるパネルの斜視図である。
【図３】  （ａ），（ｂ）は定着板の断面二例を示す断面説明図である。
【図４】  （ａ），（ｂ）はＰＣ鋼棒の定着方法を示す断面説明図である。
【符号の説明】
１  柱
１ａ孔
２  梁
５  短冊状パネル
５ａ  両端部
５ｂ  中間部
５ｃ  孔
６  定着板
７  ＰＣ鋼棒
８  緊張用鋼棒
９  カプラー
【図１】
0003669185.tif 000002
【図２】
0003669185.tif 000003
【図３】
0003669185.tif 000004
【図４】
0003669185.tif 000005